【手続補正書】
【提出日】平成20年11月12日(2008.11.12)
【手続補正１】
【補正対象書類名】特許請求の範囲
【補正対象項目名】全文
【補正方法】変更
【補正の内容】
【特許請求の範囲】
【請求項１】
印刷ジョブを記憶する少なくとも１つのサーバ装置と、前記サーバ装置に記憶された前記印刷ジョブを指定することにより該印刷ジョブの処理の実行を制御する制御装置と、を含む印刷処理システムであって、
前記制御装置は、
複数の印刷ジョブを指定する指定手段と、
前記指定手段で指定した前記複数の印刷ジョブを該当するサーバ装置から取得し、当該複数の印刷ジョブを含む複合印刷ジョブを生成する生成手段と、
前記生成手段における前記複数の印刷ジョブの取得においてエラーが生じた際、当該エラーが回復した後に前記複数の印刷ジョブのすべてを含む複合印刷ジョブの処理を実行するよう制御するか、または、前記エラーが発生した印刷ジョブを除く印刷ジョブを含む複合印刷ジョブの処理を実行するよう制御するか、を設定するための設定手段と、
を備えることを特徴とする印刷処理システム。
【請求項２】
前記制御装置は、さらに、ユーザからの操作入力を受け付ける操作入力部を備えており、
前記設定手段による設定は、予め、前記操作入力部を介したユーザからの操作入力によりなされることを特徴とする請求項１に記載の印刷処理システム。
【請求項３】
前記制御装置は、さらに、ユーザからの操作入力を受け付ける操作入力部を備えており、
前記設定手段による設定は、エラー発生時に、前記操作入力部を介したユーザからの操作入力によりなされることを特徴とする請求項１に記載の印刷処理システム。
【請求項４】
前記制御装置は、さらに、表示部を備えており、
前記指定手段による指定は、前記操作入力部による前記表示部に表示された印刷ジョブのリストからの選択指定によりなされることを特徴とする請求項２に記載の印刷処理システム。
【請求項５】
前記表示部に表示された印刷ジョブのリストには、該印刷ジョブの取得のエラー有無が合わせて表示されることを特徴とする請求項４に記載の印刷処理システム。
【請求項６】
印刷ジョブを記憶する少なくとも１つのサーバ装置とネットワークを介して接続され、前記サーバ装置に記憶された前記印刷ジョブを指定することにより該印刷ジョブの処理の実行を制御する制御装置であって、
複数の印刷ジョブを指定する指定手段と、
前記指定手段で指定した前記複数の印刷ジョブを該当するサーバ装置から取得し、当該複数の印刷ジョブを含む複合印刷ジョブを生成する生成手段と、
前記生成手段における前記複数の印刷ジョブの取得においてエラーが生じた際、当該エラーが回復した後に前記複数の印刷ジョブのすべてを含む複合印刷ジョブの処理を実行するよう制御するか、または、前記エラーが発生した印刷ジョブを除く印刷ジョブを含む複合印刷ジョブの処理を実行するよう制御するか、を設定するための設定手段と、
を備えることを特徴とする制御装置。
【請求項７】
さらに、ユーザからの操作入力を受け付ける操作入力部を備えており、
前記設定手段による設定は、予め、前記操作入力部を介したユーザからの操作入力によりなされることを特徴とする請求項６に記載の制御装置。
【請求項８】
さらに、ユーザからの操作入力を受け付ける操作入力部を備えており、
前記設定手段による設定は、エラー発生時に、前記操作入力部を介したユーザからの操作入力によりなされることを特徴とする請求項６に記載の制御装置。
【請求項９】
さらに、表示部を備えており、
前記指定手段による指定は、前記操作入力部による前記表示部に表示された印刷ジョブのリストからの選択指定によりなされることを特徴とする請求項７に記載の制御装置。
【請求項１０】
前記表示部に表示された印刷ジョブのリストには、該印刷ジョブの取得のエラー有無が合わせて表示されることを特徴とする請求項９に記載の制御装置。
【請求項１１】
印刷ジョブを記憶する少なくとも１つのサーバ装置とネットワークを介して接続され、前記サーバ装置に記憶された前記印刷ジョブを指定することにより該印刷ジョブの処理の実行を制御する制御装置における制御方法であって、
複数の印刷ジョブを指定する指定工程と、
前記指定工程で指定した前記複数の印刷ジョブを該当するサーバ装置から取得し、当該複数の印刷ジョブを含む複合印刷ジョブを生成する生成工程と、
前記生成工程における前記複数の印刷ジョブの取得においてエラーが生じた際、当該エラーが回復した後に前記複数の印刷ジョブのすべてを含む複合印刷ジョブの処理を実行するよう制御するか、または、前記エラーが発生した印刷ジョブを除く印刷ジョブを含む複合印刷ジョブの処理を実行するよう制御するか、を設定するための設定工程と、
を備えることを特徴とする制御方法。
【請求項１２】
印刷ジョブを記憶する少なくとも１つのサーバ装置とネットワークを介して接続され、前記サーバ装置に記憶された前記印刷ジョブを指定することにより該印刷ジョブの処理の実行を制御する制御装置に、
複数の印刷ジョブを指定する指定工程と、
前記指定工程で指定した前記複数の印刷ジョブを該当するサーバ装置から取得し、当該複数の印刷ジョブを含む複合印刷ジョブを生成する生成工程と、
前記生成工程における前記複数の印刷ジョブの取得においてエラーが生じた際、当該エラーが回復した後に前記複数の印刷ジョブのすべてを含む複合印刷ジョブの処理を実行するよう制御するか、または、前記エラーが発生した印刷ジョブを除く印刷ジョブを含む複合印刷ジョブの処理を実行するよう制御するか、を設定するための設定工程と、
を実行させるコンピュータプログラムを格納した、コンピュータ可読の記録媒体。
【手続補正２】
【補正対象書類名】明細書
【補正対象項目名】発明の名称
【補正方法】変更
【補正の内容】
【発明の名称】印刷処理システム、制御装置およびその制御方法、記録媒体
【手続補正３】
【補正対象書類名】明細書
【補正対象項目名】０００７
【補正方法】変更
【補正の内容】
【０００７】
上記問題点を解決するため、本発明の制御装置は以下の構成を備える。すなわち、印刷ジョブを記憶する少なくとも１つのサーバ装置とネットワークを介して接続され、前記サーバ装置に記憶された前記印刷ジョブを指定することにより該印刷ジョブの処理の実行を制御する制御装置であって、複数の印刷ジョブを指定する指定手段と、前記指定手段で指定した前記複数の印刷ジョブを該当するサーバ装置から取得し、当該複数の印刷ジョブを含む複合印刷ジョブを生成する生成手段と、前記生成手段における前記複数の印刷ジョブの取得においてエラーが生じた際、当該エラーが回復した後に前記複数の印刷ジョブのすべてを含む複合印刷ジョブの処理を実行するよう制御するか、または、前記エラーが発生した印刷ジョブを除く印刷ジョブを含む複合印刷ジョブの処理を実行するよう制御するか、を設定するための設定手段と、を備える。
【手続補正４】
【補正対象書類名】明細書
【補正対象項目名】０００８
【補正方法】変更
【補正の内容】
【０００８】
上記問題点を解決するため、本発明の制御装置における制御方法は以下の構成を備える。すなわち、印刷ジョブを記憶する少なくとも１つのサーバ装置とネットワークを介して接続され、前記サーバ装置に記憶された前記印刷ジョブを指定することにより該印刷ジョブの処理の実行を制御する制御装置における制御方法であって、複数の印刷ジョブを指定する指定工程と、前記指定工程で指定した前記複数の印刷ジョブを該当するサーバ装置から取得し、当該複数の印刷ジョブを含む複合印刷ジョブを生成する生成工程と、前記生成工程における前記複数の印刷ジョブの取得においてエラーが生じた際、当該エラーが回復した後に前記複数の印刷ジョブのすべてを含む複合印刷ジョブの処理を実行するよう制御するか、または、前記エラーが発生した印刷ジョブを除く印刷ジョブを含む複合印刷ジョブの処理を実行するよう制御するか、を設定するための設定工程と、を備える。